(57)【要約】【課題】仮設足場に備えられる幅木材において、簡単な構成で容易に製作することができるとともに、足場板付近の安全性を向上しつつ、取付が容易な仮設足場の幅木材を提供する。【解決手段】幅木板本体２０の一端に第１支柱Ｓ１への固定係着部２１を備え、他端には、上面視Ｌ字の組合せ状に屈曲変形させてなる板状部材であり、幅木板本体の板面方向に回動して板状部材の先端に形成された可動係着部３１を係着位置３５と係着解除位置３６との間で移動させて第２支柱Ｓ２に係着させる回動部材３０を有し、回動部材には回動軸付近を被覆し回動方向を規制する被覆部材５０が設けられ、被覆部材には固定係着部の係着位置と対称位置かつ第２支柱に対する直交位置で回動部材が当接して係着位置を位置決めするストッパー部５１と、第２支柱に対して上方へ９０度起立された平行位置で回動部材が当接して係着解除位置を位置決めするストッパー部５２が形成されている。【選択図】図１
2020118034.tif 000002
【特許請求の範囲】
【請求項１】
仮設足場の隣り合う第１支柱（Ｓ１）及び第２支柱（Ｓ２）間に敷設された足場板（Ｐ）に沿ってその外側に配置される幅木材（１０）であって、
前記幅木材は幅木板本体（２０）と前記幅木板本体の下端から前記足場板側に直角に延設された縁板材（４０）とを備え、
前記幅木板本体の長手方向の一端（１１）には前記第１支柱への係着部（２５）を有する固定係着部（２１）を備えるとともに、
前記幅木板本体の長手方向の他端（１２）には、上面視Ｌ字の組合せ状に屈曲変形させてなる板状部材であり、前記幅木板本体の板面方向に回動して、前記板状部材の先端に形成された可動係着部（３１）を前記第２支柱に係着する係着位置（３５）とその係着が解除される係着解除位置（３６）との間で移動させるとともに、その移動のみによって前記可動係着部を前記第２支柱に係着させる回動部材（３０）を有し、
前記回動部材には、回動軸付近を被覆し、回動方向を規制する被覆部材（５０）が設けられ、
前記被覆部材には、前記幅木板本体において前記固定係着部の前記第１支柱への係着位置と対称の位置かつ前記第２支柱に対する直交位置で前記回動部材が当接して前記係着位置を位置決めするストッパー部（５１）と、前記第２支柱に対して上方へ９０度起立された平行位置で前記回動部材が当接して前記係着解除位置を位置決めするストッパー部（５２）が形成されている
ことを特徴とする仮設足場の幅木材。
【請求項２】
前記可動係着部には前記第２支柱の円周面と接合する湾曲面を有する接合部材が設けられている請求項１に記載の仮設足場の幅木材。
【発明の詳細な説明】
【技術分野】
【０００１】
本発明は、仮足場のための支柱間に敷設された足場板に沿ってその外側に配置される幅木材に関する。
【背景技術】
【０００２】
建築現場等に構築される仮設足場は、支柱と横柱（横架材、腕木、横桟等とも称される）との組み合わせからなる枠組みに足場板が設置されて組み立てられる。足場板は主に横架材上に組み付けられ、仮設足場は出来上がる。このような仮設足場は高所作業を伴うことから、足場の安全性に十分な配慮が必要となる。例えば、作業者による足場板の踏み外し、工具類の落下等を防ぐ必要がある。
【０００３】
そこで、仮設足場における足場板付近の安全性を高めるべく、幅木材等が足場板の片側もしくは両側に設置される。このような幅木材は、足場板の長さにほぼ等しい長尺の板材からなり、脱落等を防ぐために支柱や横柱等と固定されて取り付けられる。
【０００４】
そして、幅木材と足場材との間に生じた隙間を解消するために、幅木板に当該隙間を解消するための補助板材が供えられている幅木板が提案されている（特許文献１等参照）。このように、仮設足場の足場板付近の安全性を向上させるため、幅木材の設置は広く普及している。
【０００５】
近年では、仮設足場の足場付近の安全性確保のために、幅木材や手摺り等の部材が増えたことにより、仮設足場を組み立てる手間や時間の増加などが問題となっている。そこで、仮設足場の足場板付近の安全性を向上しつつ、取付が容易な仮設足場の幅木材が望まれていた。
【先行技術文献】
【特許文献】
【０００６】
【特許文献１】特許第５２３６５６７号公報
【発明の概要】
【発明が解決しようとする課題】
【０００７】
本発明は、前記の点に鑑みなされたものであって、仮設足場に備えられる幅木材において、簡単な構成で容易に製作することができるとともに、足場板付近の安全性を向上しつつ、取付が容易な仮設足場の幅木材を提供する。
【課題を解決するための手段】
【０００８】
すなわち、請求項１の発明は、仮設足場の隣り合う第１支柱及び第２支柱間に敷設された足場板に沿ってその外側に配置される幅木材であって、前記幅木材は幅木板本体と前記幅木板本体の下端から前記足場板側に直角に延設された縁板材とを備え、前記幅木板本体の長手方向の一端には前記第１支柱への係着部を有する固定係着部を備えるとともに、前記幅木板本体の長手方向の他端には、上面視Ｌ字の組合せ状に屈曲変形させてなる板状部材であり、前記幅木板本体の板面方向に回動して、前記板状部材の先端に形成された可動係着部を前記第２支柱に係着する係着位置とその係着が解除される係着解除位置との間で移動させるとともに、その移動のみによって前記可動係着部を前記第２支柱に係着させる回動部材を有し、前記回動部材には、回動軸付近を被覆し、回動方向を規制する被覆部材が設けられ、前記被覆部材には、前記幅木板本体において前記固定係着部の前記第１支柱への係着位置と対称の位置かつ前記第２支柱に対する直交位置で前記回動部材が当接して前記係着位置を位置決めするストッパー部と、前記第２支柱に対して上方へ９０度起立された平行位置で前記回動部材が当接して前記係着解除位置を位置決めするストッパー部が形成されていることを特徴とする仮設足場の幅木材に係る。
【０００９】
請求項２の発明は、前記可動係着部には前記第２支柱の円周面と接合する湾曲面を有する接合部材が設けられている請求項１に記載の仮設足場の幅木材に係る。
【発明の効果】
【００１０】
請求項１の発明に係る仮設足場の幅木材によると、仮設足場の隣り合う第１支柱及び第２支柱間に敷設された足場板に沿ってその外側に配置される幅木材であって、前記幅木材は幅木板本体と前記幅木板本体の下端から前記足場板側に直角に延設された縁板材とを備え、前記幅木板本体の長手方向の一端には前記第１支柱への係着部を有する固定係着部を備えるとともに、前記幅木板本体の長手方向の他端には、上面視Ｌ字の組合せ状に屈曲変形させてなる板状部材であり、前記幅木板本体の板面方向に回動して、前記板状部材の先端に形成された可動係着部を前記第２支柱に係着する係着位置とその係着が解除される係着解除位置との間で移動させるとともに、その移動のみによって前記可動係着部を前記第２支柱に係着させる回動部材を有し、前記回動部材には、回動軸付近を被覆し、回動方向を規制する被覆部材が設けられ、前記被覆部材には、前記幅木板本体において前記固定係着部の前記第１支柱への係着位置と対称の位置かつ前記第２支柱に対する直交位置で前記回動部材が当接して前記係着位置を位置決めするストッパー部と、前記第２支柱に対して上方へ９０度起立された平行位置で前記回動部材が当接して前記係着解除位置を位置決めするストッパー部が形成されているため、簡単な構成で容易に製作することができ、足場板付近の安全性を向上しつつ、幅木材の支柱への着脱が容易で作業効率を向上させることができて安定して取付が可能である。特に、被覆部材により、可動係着部の移動が安定するとともに板面と平行に回動して省スペースであり、幅木材への衝撃等による回動部材の曲がり等を抑制して係着解除を防止することができ、さらに、回動部材がストッパー部に当接して止まることで可動係着部と第２支柱をよりしっかりと係着させることができるとともに、係着解除も係着解除位置がわかりやすく取扱いが容易となる。
【００１１】
請求項２の発明に係る仮設足場の幅木材によると、請求項１の発明において、前記可動係着部には前記第２支柱の円周面と接合する湾曲面を有する接合部材が設けられているため、幅木材の横ズレを防止し、安定して取付が可能である。
【図面の簡単な説明】
【００１２】
【図１】本発明の幅木材の実施形態に係る幅木材を示す正面図である。
【図２】図１の幅木材の回動部材近傍を示す拡大図である。
【図３】図１の幅木材の回動部材近傍を示す拡大上面図である。
【図４】幅木材同士を重ね合わせた状態の可動係着部側を示す部分断面図である。
【図５】幅木材同士を重ね合わせた状態の固定係着部側を示す斜視図である。
【図６】図１の幅木材の支柱への取付状況を示す概略図である。
【発明を実施するための形態】
【００１３】
本発明の仮設足場の幅木材１０は、隣り合う第１支柱Ｓ１及び第２支柱Ｓ２の間に敷設された足場板Ｐに沿ってその外側に配置されてなる。幅木材１０は、幅木板本体２０と幅木板本体２０の下端２９から足場板側に直角に延設された板状の縁板材４０とを備える。縁板材４０により幅木板本体２０と足場板Ｐとの間の隙間が覆われるため、作業者による足場板Ｐの踏み外し、工具類の落下等を防ぐことができる。幅木板本体２０は一定高さを有する板体からなる。工具類の落下防止や作業者の滑落を防ぐことができる。
【００１４】
幅木板本体２０の長手方向の一端１１には第１支柱Ｓ１への係着部２５を有する固定係着部２１を備える。図１に示される本発明の実施形態において、固定係着部２１は板状部材を屈曲変形させてなる。固定係着部２１の先端には係着部２５が形成されていて、第１支柱Ｓ１に引っかけるようにして固定される。幅木板本体２０の長手方向の他端１２には、第２支柱Ｓ２に係着する可動係着部３１を有し幅木板本体２０の板面方向に回動する回動部材３０を有する。図１ないし図３に示されるように、本実施形態では回動部材３０は板状部材をＬ字の組合せ状に屈曲変形させてなり、その先端には可動係着部３１が形成されている。なお、本実施例においては、幅木板本体２０の両端１１，１２には補強板部材８０が取り付けられている。幅木板本体２０の一端１１及び他端１２は支柱Ｓ１，Ｓ２に当接しており、足場側からの衝撃等の応力による変形が生じやすいため、補強板部材８０により幅木板本体２０の変形を防ぐことができる。
【００１５】
回動部材３０は、ボルト部材７０で幅木板本体２０に軸着されており、幅木板本体２０の板面方向、つまり板面と平行に回動自在に取り付けられている。板面と平行に回動することから、板面と直角に回動するよりも、幅木板本体２０の厚み方向の幅が大きくならないため省スペースであり運搬時等に有利である。図２に示されるように、回動部材３０の先端には、可動係着部３１が形成されていて、可動係着部３１は第２支柱Ｓ２に係着する係着位置３５とその係着が解除される係着解除位置３６との間を移動する。回動部材３０を移動させることのみによって、可動係着部３１を第２支柱Ｓ２に係着させることができるため、幅木材１０の取り付けが容易であり、作業効率を向上させることができる。
【００１６】
さらに、可動係着部３１の係着位置３５は第２支柱に対し直交位置ｒｐである。係着位置３５に可動係着部３１が配置されると、可動係着部３１と固定係着部２１は、図１に示されるように、幅木板本体２０において対称の位置で支柱Ｓ１，Ｓ２と係着することとなる。これにより、幅木材１０が安定して設置される。そして、第２支柱に対する係着を解除する可動係着部３１の係着解除位置３６は第２支柱に対して上方へ９０度起立された平行位置ｐｐである。少ない動きで容易に可動係着部３１の第２支柱Ｓ２への係着を解除することができる。
【００１７】
また、図２，３に示されるように、回動部材３０は幅木板本体２０に対し、被覆部材５０を介して取り付けられてもよい。被覆部材５０は、回動部材３０の一部、特に回動軸付近を被覆することにより回動方向を規制させることができ、可動係着部３１の移動をより安定させることができる。他にも、例えば、幅木材１０に強い衝撃等が加わった時に、回動部材３０が曲がって第２支柱Ｓ２との係着が解除されてしまうのを防ぐことができる。加えて、被覆部材５０には、係着位置３５と係着解除位置３６を位置決めするストッパー部５１，５２が形成されている。両ストッパー部５１，５２同士はＬ字を成して配される。これにより、係着位置３５又は係着解除位置３６で回動部材３０がストッパー部５１，５２に当接して止まるため、可動係着部３１と第２支柱Ｓ２をよりしっかりと係着させることができるし、係着を解除するときも係着解除位置３６がわかりやすく取扱いが容易となる。なお、図示しないが、回動部材３０が移動する時に、係着位置３５及び係着解除位置３６において節度感が得られるように、回動部材３０又は被覆部材５０に凹部や凸部、線条部等を形成してもよい。被覆部材５０を備えない場合には、これらは幅木板本体２０に形成される。
【００１８】
そして、図３に示されるように、可動係着部３１には第２支柱Ｓ２の円周面Ｓｆと接合する湾曲面６１を有する接合部材６０が設けられている。接合部材６０は、可動係着部３１とほぼ同じ厚さの金属板からなる。可動係着部３１が係着位置３５に配置されたときに、第２支柱Ｓ２の円周面Ｓｆと、可動係着部３１との隙間は接合部材６０によって埋められる。このことによって、幅木材１０の横ズレを防止して支柱Ｓ１，Ｓ２との係着が外れて脱落してしまう可能性は小さくなる。そして、可動係着部３１のがたつきは抑制され騒音等の発生も防止することができる。
【００１９】
可動係着部３１に接合部材６０が設けられた場合にあっては、図２，４に示されるように、可動係着部３１に切欠き部３８が形成される。可動係着部３１が係着解除位置３６で幅木材１０同士を重ね合わせたときに、図４に示されるように、可動側切欠き部３８に他の幅木材１０の接合部材６０の一部が挿入される。これにより、他の幅木材との干渉は避けられ省スペースとなり、運搬や保管コストが抑制される。また、幅木材１０同士を重ね合わせたときに回動部材３０の動きが制限されるため、運搬時に回動部材３０が動かず、より安全である。
【００２０】
そして、図５に示されるように、固定係着部２１にも固定側切欠き部２８が形成されるとよい。併せて、補強板部材８０は側面視略コ字状に形成されることによって、幅木材１０同士を重ね合わせたときに、固定側切欠き部２８に他の幅木材１０の補強板部材８０の上腕部８１が一部挿入される。これにより、他の幅木材との干渉は避けられ省スペースとなり、運搬や保管コストは抑制される。特に、固定係着部２１及び可動係着部３１の両方に切欠き部２８，３８が形成されることによって、幅木材１０同士を重ね合わせたときに、幅木板本体２０の両端１１，１２において両切欠き部２８，３８にそれぞれ上腕部８１と接合部材６０が収容されることとなる。幅木材１０同士が安定して重ね合うため、不意な脱落やがたつきが抑えられ、安全であり運搬等がしやすくなる。
【００２１】
なお、幅木板本体２０及び補強板部材８０の端部位置は曲げ加工により成形される。板材の曲げ加工により抗折力は向上し、幅木板本体２０及び補強板部材８０は変形しにくくなる。さらに、縁板材４０の先端を下方に折り曲げられることにより、縁板材４０の先端の跳ね上がりは抑制され、足場板Ｐとの段差は少なくなり作業者等のつまずき等は防ぐことができる。
【００２２】
次に、本発明の幅木材１０の支柱Ｓ１，Ｓ２への取付方法について図６を用いて説明する。図６（ａ）に示されるように、足場板Ｐ側（内側）から第１支柱Ｓ１に斜めに固定係着部２１の係着部２５が係着され、第１支柱Ｓ１を軸に幅木材１０を移動させて幅木板本体２０は支柱Ｓ１，Ｓ２間に配置される。このとき、図６（ｂ）に示されるように、回動部材３０の可動係着部３１は係着解除位置３６である。そして、図６（ｃ）に示されるように、回動部材３０の可動係着部３１は係着解除位置３６から係着位置３５に回動され第２支柱Ｓ２に対して可動係着部３１は係着される。このように、簡易な方法で本発明の幅木材１０は支柱Ｓ１，Ｓ２に対して取付られる。加えて、取付に工具が必要とされないことから設置は容易である。また、幅木材１０の支柱Ｓ１，Ｓ２からの取り外しは逆の手順でよいため、着脱が容易である。
【００２３】
本発明の実施形態である幅木材１０の固定係着部２１は板状部材よりなるが、他にも棒状部材を屈曲成形して固定係着部を形成してもよい。棒状部材からなる場合にあっては、固定係着部２５の先端は二股以上となるように形成すると安定して係着させることができる。
【符号の説明】
【００２４】
１０  幅木材
２０  幅木板本体
２１  固定係着部
２５  係着部
２８  固定側切欠き部
３０  回動部材
３１  可動係着部
３５  係着位置
３６  係着解除位置
３８  可動側切欠き部
４０  縁板材
５０  被覆部材
５１，５２  ストッパー部
６０  接合部材
６１  湾曲面
７０  ボルト部材
８０  補強板部材
ｒｐ  直交位置
ｐｐ  平行位置
Ｐ  足場板
Ｓ１  第１支柱
Ｓ２  第２支柱
Ｓｆ  第２支柱の円周面
【図１】
2020118034.tif 000003
【図２】
2020118034.tif 000004
【図３】
2020118034.tif 000005
【図４】
2020118034.tif 000006
【図５】
2020118034.tif 000007
【図６】
2020118034.tif 000008